(57)【要約】      （修正有）【課題】密封側に設けられた主リップと大気側に設けられた副リップを備える密封装置において、副リップのめくれを防止するとともに耐久性の向上を図る。【解決手段】副リップ側６より軸を装着するとき、主リップ５の緊迫力付与手段１７により副リップ６は軸を装着する前には軸に対する締め代がない位置まで退避しており軸を装着した後は前記主リップ５が軸と接触により起こされることに伴って副リップ６が軸側に倒れこむ状態で軸に接触するようになされた密封装置であって、密封装置本体のＬ型補強環９のフランジ部１１の内端部がゴム状弾性体に埋設された埋設部とシールリップ部７との間に形成される結合部１４を密封側に向かって大きく立ち上げ、且つ、前記した結合部１４は、シールリップ部７との接続部分から前記のＬ型補強環９のフランジ部１１の端部にかけて厚みを漸次増大するように構成した。【選択図】図１
2008309272.tif 000002
【特許請求の範囲】
【請求項１】
密封側の主リップと大気側の副リップとを一体に備えたシールリップ部を有し、前記主リップの外周側に該主リップを軸に緊迫するための緊迫力付与手段を設けた密封装置を前記副リップ側より軸を装着するとき、前記した主リップの外周側に設けた主リップの緊迫力付与手段により副リップは軸の装着前には軸に対する締め代がない位置まで退避し、軸が装着された後は前記主リップが軸と接触により起こされることに伴って副リップが軸側に倒れこむ状態で軸に接触するようになされた密封装置において、
密封装置本体のＬ型補強環のフランジ部の内端部がゴム状弾性体に埋設された埋設部とシール部との間に形成される結合部を密封側に向かって大きく立ち上げ、且つ、前記した結合部は、シールリップ部との接続部分から前記のＬ型補強環のフランジ部の端部にかけて厚みを漸次増大するように構成した密封装置。
【発明の詳細な説明】
【技術分野】
【０００１】
本発明は、各種軸封部に用いられるオイルシール等の密封装置に関し、主リップと副リップ（ダストリップ）とを備えた密封装置に関するものである。
【背景技術】
【０００２】
オイルシール等の密封装置においては、密封側に設けられた主リップと大気側に設けられた副リップ(ダストリップ)とを備えたものがあり、この種の密封装置においては、前記した副リップには塵埃等を防止するために軸に対する締め代が設けられており、このような密封装置を副リップ側より軸を装着するとき、軸の端部が前記した締め代が設けられている副リップに当接し、該副リップをめくるような状態となり、軸の装着を困難にするばかりでなく、軸の装着後においては副リップそのものの作用にも問題を残すことになる恐れがある。
【０００３】
そして、上記しためくれを避けるために主リップの腰部の肉厚をＡとし、また、前記の主リップと副リップとの結合部の幅をＢとしたとき、前記の肉厚Ａと肉厚Ｂとの関係をＡがＢより大きくするか、あるいはＡとＢとを等しくすることにより、前記の副リップが、軸の装着前は主リップへの緊迫力付与手段の緊迫力により主リップが軸側へ倒れ込むことに伴って前記の副リップに対する締め代がなくなるまで軸側より退避させ、軸の装着後は、主リップの軸との当接によって該主リップが起こされることに伴って副リップが軸側に倒れこむ設定とした密封装置が提案されている（特許文献１参照）。
【特許文献１】特許第３６１７６９４号明細書
【発明の開示】
【発明が解決しようとする課題】
【０００４】
上記の特許文献１に記載の密封装置の軸の装着時の副リップの倒れこみの防止手段は、密封装置を軸の装着時に主リップと副リップとの結合部の動きを良くするために、主リップの腰部の肉厚をＡとし、また、前記の主リップと副リップとの結合部の幅をＢとしたとき、前記の肉厚Ａと肉厚Ｂとの関係をＡがＢより大きくするか、あるいはＡとＢとを等しくしている。このことは、結合部の厚みを主リップの腰部の厚みよりも薄くしてあることであり、この薄肉部分で強度が低下することとなり、そのため割れ等が発生しやすく、耐久性に問題があった。
本発明は上記の点に鑑みて発明されたものであり、結合部の厚みを確保することにより密封装置の軸の装着時に副リップのめくれを防止するとともに耐久性の優れた密封装置の提供を目的とするものである。
【課題を解決するための手段】
【０００５】
本発明に係る密封装置は、前記の目的を達成するために、密封側の主リップと大気側の副リップとを一体に備えたシールリップ部を有し、前記主リップの外周側に該主リップを軸に緊迫するための緊迫力付与手段を設けた密封装置を前記副リップ側より軸を装着するとき、前記した主リップの外周側に設けた主リップの緊迫力付与手段により副リップは軸の装着前には軸に対する締め代がない位置まで退避し、軸が装着された後は前記主リップが軸と接触により起こされることに伴って副リップが軸側に倒れこむ状態で軸に接触するようになされた密封装置において、密封装置本体のＬ型補強環のフランジ部の内端部がゴム状弾性体に埋設された埋設部とシール部との間に形成される結合部を密封側に向かって大きく立ち上げ、且つ、前記した結合部は、シールリップ部との接続部分から前記のＬ型補強環のフランジ部の端部にかけて厚みを漸次増大するように構成したことをその特徴とするものである。
【発明の効果】
【０００６】
外周に緊迫力付与手段を備えた密封流体側の主リップと大気側の副リップとを一体に備えたシールリップ部を有する密封装置を前記副リップ側より軸を装着するとき、装着前において主リップはその外周側に設けた緊迫力付与手段により内周側に倒れこむ状態となり、これに伴って主リップと一体的に結合されている副リップは外周側に開く状態となり軸に対する締め代がない位置まで退避しており、軸が装着された後には前記主リップが軸との接触により起こされることにより副リップが軸側に倒れこむ状態で軸に接触するようにされるので軸の装着時には副リップがめくれる恐れはなく、軸が装着された後は前記主リップが軸と接触により起こされることに伴って副リップが軸側に倒れこむ状態で軸に接触するので、軸の装着後においては副リップは塵埃等の防止に充分機能するものである。
【０００７】
また、前記した主リップの動きに応じて動作する副リップの作動についても、本発明においては、密封装置本体のＬ型補強環のフランジ部の内端部がゴム状弾性体に埋設された埋設部とシール部との間に形成される結合部を密封側に向かって大きく立ち上げたことで、軸を装着するときには、この結合部が撓むことでシールリップ部が全体的に動きやすくなるので軸をスムースに装着できる効果がある。
【０００８】
前記した結合部は、シールリップ部との接続部分から前記のＬ型補強環のフランジ部の端部にかけて厚みを漸次増大するように構成したので、結合部は充分な強度を確保することができ、割れ等が生じる恐れはない。また、上記した結合部は、Ｌ型補強環に対する接合面積を充分に確保できるので、Ｌ型補強環からの剥がれが生じにくいばかりでなく、応力が一部に集中することなく全体的にバランスよく撓むので、軸を装着するときのシールリップ部の動きがよりスムースとなるという効果を有するものである。
【発明を実施するための最良の形態】
【０００９】
本発明の密封装置の実施の形態を図に基づいて説明する。１はハウジング２と軸３との間に装着され密封流体側Ｍの流体を大気側Ｃに漏洩しないようにシールする密封装置であり、密封装置１は、前記ハウジング２の内周面に嵌合されるシール本体４と該シール本体４の径方向内側端部に軸３に摺動自在に接触して密封流体側からの流体をシールする主リップ５と該主リップ５と大気側Ｃからの塵埃等の進入を防止する副リップ（ダストリップ）６とを一体的に備えたシールリップ部７より構成される。
【００１０】
前記した主リップ５及び副リップ６はこれらを結ぶシールリップ部７をゴム状弾性体で一体的に成形されるものであるが、前記のゴム状弾性体は、シール本体４を形成する断面Ｌ型の金属製補強環９の円筒部１０の外周を覆うようにするとともに前記金属製補強環９の半径方向に延びる内向きフランジ部１１の端部１２を埋設した状態で焼き付き固定される。そして、前記した主リップ５はＬ型金属製補強環９のフランジ部１１の端部１２が埋設された部位を基部として密封流体側Ｍに径方向内側端部に前記のゴム状弾性体で一体的に成形されている。
【００１１】
また、前記したＬ型の金属製補強環９のフランジ部１１の端部１２が埋設された部位を基部として大気側に径方向内向きに副リップ６をゴム状弾性体にて一体的に成形している。そして、前記のＬ型金属製補強環９のフランジ部１１の内端部がゴム状弾性体に埋設された埋設部とシールリップ部７との間に形成される部分である結合部１４とシールリップ部７との接続部分１５が前記のＬ型金属製補強環９の前記端部１２より完全に密封側に位置するように前記結合部１４を大きく立ち上げた構成としている。
【００１２】
前記した結合部１４の形状をシールリップ部６との接続部分１５からＬ型の金属製補強環９のフランジ部１１の端部１２が埋設される部位にかけてその厚みが漸次増大する形状としてある。この場合、結合部１４は、密封側の面を円弧状に膨らませて厚みを稼いだ形状としている。さらに、上記の構成において、主リップ５の腰部５´の厚みをＡとし、結合部１４とシールリップ部６の接続部分１５をＢとしたとき、前記ＡとＢとの関係をＡ＜Ｂとしている。このように構成することにより結合部は充分な強度を確保することができ、割れ等が生じる恐れは全くない。
【００１３】
１７は主リップ５の外周側に設けられた円弧状の溝１８に装着されたスプリングであり、該スプリング１７により主リップ５に緊迫力を付与し、軸３を装着する前においては、図２に示す如く、該スプリング１７による緊迫力で主リップ５が内周側に倒れこむことに伴って、副リップ６が軸３に対する締め代がない位置まで退避することにより、軸３を大気側Ｃから装着するときの副リップ６のめくれが防止できる。そして、軸３を装着した後においては、図３に示す如く、主リップ５は軸３に接触して起き上がり、軸３に摺動自在に密接され密封流体をシールするとともに、該主リップ５が起こされることに伴って、副リップ６は内周側に倒れ込む状態となって軸３に接触し、ダストの侵入を阻止することになる。
【図面の簡単な説明】
【００１４】
【図１】本発明の密封装置の左半部の断面図。
【図２】図1の密封装置の軸を装着する前の状態の説明図。
【図３】図1の密封装置の軸を装着した状態を示す説明図。
【符号の説明】
【００１５】
１  密封装置
２  ハウジング
３  軸
５  主リップ
６  副リップ
７  シールリップ部
９  Ｌ型金属製補強環
１１  Ｌ型金属製補強環のフランジ部
１２  Ｌ型金属製補強環のフランジ部の端部
１４  結合部
１５  接続部
１７  緊迫力付与手段（コイルスプリング）
【図１】
2008309272.tif 000003
【図２】
2008309272.tif 000004
【図３】
2008309272.tif 000005